(57)【要約】【課題】  電子機器の逆入れを防ぎ、本体接続部の破損を防ぐことができる中継装置を提供する。【解決手段】  両側面の形状が異なる電子腕時計１の腕時計ケース２と、ホルダ部材２０がスライド可能に設けられた装置本体１６とを備え、ホルダ部材２０に腕時計ケース２の９時側の側面が嵌合する第１側面保持部４１を設け、装置本体に腕時計ケース２の３時側の側面が嵌合する側面上部保持部４３を設けた。従って、腕時計ケース２を装置本体１６に逆向きに配置すると、腕時計ケース２の３時側の側面が第１側面保持部４１に密着して嵌合せず、腕時計ケース２の９時側の側面が装置本体１６の側面上部保持部４３に密着して嵌合しない。このため、腕時計ケース２が逆向きであることを判断できると共に、腕時計ケース２の９時側の側面が本体接続部２４に当接せず、本体接続部２４の破損を防ぐことができる。【選択図】        図３４
2008009666.tif 000002
【特許請求の範囲】
【請求項１】
両側面の形状が異なると共にその一側面に外部接続部を有する電子機器が着脱可能に保持されて電気的に接続される中継装置であり、
装置本体と、
この装置本体にスライド可能に設けられて前記電子機器の前記外部接続部と反対側の他側面が嵌合するホルダ側保持部を有するホルダ部材と、
前記装置本体に設けられ、前記ホルダ側保持部に前記他側面が嵌合した前記電子機器が前記ホルダ部材と共にスライドして前記電子機器の前記外部接続部側に位置する前記一側面が嵌合する本体側保持部と、
前記装置本体に前記本体側保持部側から前記ホルダ部材側に向けて突出して設けられ、前記電子機器の前記一側面が前記本体側保持部に嵌合したときに前記外部接続部が接触して電気的に接続する本体接続部と
を備えたことを特徴とする中継装置。
【請求項２】
前記電子機器の前記他側面には突起部が突出して設けられ、前記ホルダ部材の前記ホルダ側保持部には前記突起部が嵌合する嵌合凹部が設けられていることを特徴とする請求項１に記載の中継装置。
【請求項３】
前記電子機器の前記一側面の下部には逆入れ防止部が設けられ、前記ホルダ部材には前記電子機器の前記一側面の下部を位置決めする位置決め部が設けられ、この位置決め部には前記逆入れ防止部が嵌合する嵌合部が設けられていることを特徴とする請求項１または２に記載の中継装置。
【請求項４】
前記電子機器の前記外部接続部は、金属ピンをばね部材のばね力によって前記電子機器の前記一側面から露出させる方向に付勢する構成で、前記本体接続部は、大径筒内に小径筒が出没可能に設けられた接続ピンを備え、この接続ピンの前記小径筒の先端が前記外部接続の前記金属ピンの先端に弾接して相互に没入する構成であることを特徴とする請求項１〜３のいずれかに記載の中継装置。
【請求項５】
前記ホルダ部材の前記位置決め部には、前記本体接続部の前記接続ピンの曲がりを防ぐための曲がり防止部が設けられていることを特徴とする請求項４に記載の中継装置。
【請求項６】
前記ホルダ部材は、少なくとも前記ホルダ側保持部を有して前記装置本体の前記本体接続部に対し接離方向にスライドするスライド板と、このスライド板を前記本体接続部側に向けてスライドさせて前記電子機器を前記ホルダ側保持部と前記本体側保持部との間に挟んだときに前記スライド板をロックするロック部材とを備えていることを特徴とする請求項１〜５のいずれかに記載の中継装置。
【請求項７】
前記ロック部材は、前記装置本体の前記本体接続部と反対側に位置する前記スライド板の端部に設けられたストッパ部と、前記スライド板を前記装置本体の前記本体接続部から離れる方向に付勢する第１ばね部材と、前記ストッパ部の移動方向と直交する方向に移動可能に設けられて前記ストッパ部の先端面が接離可能に対面するロック釦と、このロック釦を前記ストッパ部の前記先端面が対面して当接する位置に向けて付勢する第２ばね部材とを備えていることを特徴とする請求項６に記載の中継装置。
【発明の詳細な説明】
【技術分野】
【０００１】
この発明は、電子腕時計などの腕装着型の電子機器が着脱可能に保持されて電気的に接続される中継装置に関する。
【背景技術】
【０００２】
例えば、腕装着型の電子機器である電子腕時計においては、現在位置を特定するためのＧＰＳ（グローバル・ポジショニング・システム）機能を搭載したものが開発されている。この種の電子腕時計は、腕時計ケースに内蔵されたアンテナで人口衛星からの電波を受信することにより、現在位置を知ることができるように構成されている。
【０００３】
このような電子腕時計では、消費電力が多いため、２〜３時間ごとに頻繁に充電する必要があり、このような要望に応えるために、従来では、特許文献１に記載されているように、電子腕時計を充電するための中継装置が開発されている。この種の中継装置は、外部電源またはパーソナルコンピュータなどの外部機器がケーブルによって接続される装置本体を備え、この装置本体に腕時計ケースを着脱可能に保持するホルダ部材を設け、このホルダ部材で保持された腕時計ケースの外部接続部を装置本体に設けられた本体接続部に接続させ、この状態で腕時計ケース内の充電池に電力を供給して充電すると共に、音楽データなどのデータの授受を行うように構成されている。
【特許文献１】特開２００１−１８８６３０号
【発明の開示】
【発明が解決しようとする課題】
【０００４】
しかしながら、このような従来の中継装置では、腕時計ケースを装置本体のホルダ部材で保持するときに、誤って腕時計ケースを左右反対に配置してしまうことがある。このときには、左右反対に配置された腕時計ケースをホルダ部材で保持して本体装置の本体接続部に押し付けても、装置本体の本体接続部と腕時計ケースの外部接続部とが電気的に接続されないため、腕時計ケース内の充電池を充電することができず、しかも音楽データなどのデータの授受を行うことができないばかりか、本体接続部が腕時計ケースの側面に突き当たって破損するという問題がある。
【０００５】
この発明が解決しようとする課題は、電子機器の逆入れを防ぎ、本体接続部の破損を防ぐことができる中継装置を提供することである。
【課題を解決するための手段】
【０００６】
この発明は、上記課題を解決するために、次のような構成要素を備えている。
なお、各構成要素には、後述する実施形態の項で説明される各要素に付されている図面の参照番号などを括弧と共に付す。
【０００７】
請求項１に記載の発明は、図１〜図３７に示すように、両側面の形状が異なると共にその一側面（３時側の側面）に外部接続部（８）を有する電子機器（電子腕時計１）が着脱可能に保持されて電気的に接続される中継装置（１５）であり、
装置本体（１６）と、この装置本体にスライド可能に設けられて前記電子機器の前記外部接続部と反対側の他側面（９時側の側面）が嵌合するホルダ側保持部（第１側面保持部４１）を有するホルダ部材（２０）と、前記装置本体に設けられて前記ホルダ側保持部に前記他側面が嵌合した前記電子機器が前記ホルダ部材と共にスライドして前記電子機器の前記外部接続部側に位置する前記一側面が嵌合する本体側部保持部（側面上部保持部４３）と、前記装置本体に前記本体側保持部側から前記ホルダ部材側に向けて突出して設けられ、前記電子機器の前記一側面が前記本体側保持部に嵌合したときに前記外部接続部が接触して電気的に接続する本体接続部（２４）とを備えたことを特徴とする中継装置である。
【０００８】
請求項２に記載の発明は、図１〜図３７に示すように、前記電子機器（電子腕時計１）の前記他側面（９時側の側面）に突起部（光通信部１０）が突出して設けられ、前記ホルダ部材（２０）の前記ホルダ側保持部（第１側面保持部４１）に、前記突起部が嵌合する嵌合凹部（通信嵌合凹部４１ａ）が設けられていることを特徴とする請求項１に記載の中継装置である。
【０００９】
請求項３に記載の発明は、図１〜図３７に示すように、前記電子機器（電子腕時計１）の前記一側面（３時側の側面）の下部に逆入れ防止部（逆入れ防止突起１１）が設けられ、前記ホルダ部材（２０）に前記電子機器の前記一側面の下部を位置決めする位置決め部（第２側面保持部４２）が設けられ、この位置決め部に前記逆入れ防止部が嵌合する嵌合部（逆入れ防止凹部４２ａ）が設けられていることを特徴とする請求項１または２に記載の中継装置である。
【００１０】
請求項４に記載の発明は、図１〜図３７に示すように、前記電子機器（電子腕時計１）の前記外部接続部（８）が、金属ピン（８ａ）をばね部材（８ｂ）のばね力によって前記電子機器の前記一側面（３時側の側面）から露出させる方向に付勢する構成で、前記本体接続部（２４）は、大径筒（２８ａ）内に小径筒（２８ｂ）が出没可能に設けられた接続ピン（２８）を備え、この接続ピンの前記小径筒の先端が前記外部接続の前記金属ピンの先端に弾接して相互に没入する構成であることを特徴とする請求項１〜３のいずれかに記載の中継装置。
【００１１】
請求項５に記載の発明は、図１〜図３７に示すように、前記ホルダ部材（２０）の前記位置決め部（第２側面保持部４２）に、前記本体接続部（２４）の前記接続ピン（２８）の曲がりを防ぐための曲がり防止部（曲がり防止凹部４２ｂ、曲がり防止凸部５０）が設けられていることを特徴とする請求項４に記載の中継装置である。
【００１２】
請求項６に記載の発明は、図１〜図３７に示すように、前記ホルダ部材（２０）が、少なくとも前記ホルダ側保持部（第１側面保持部４１）を有して前記装置本体（１６）の前記本体接続部（２４）に対し接離方向にスライドするスライド板（３１）と、このスライド板を前記本体接続部側に向けてスライドさせて前記電子機器（電子腕時計１）を前記ホルダ側保持部と前記本体側保持部（側面上部保持部４３）との間に挟んだときに前記スライド板をロックするロック部材（３３）とを備えていることを特徴とする請求項１〜５のいずれかに記載の中継装置である。
【００１３】
請求項７に記載の発明は、図１〜図３７に示すように、前記ロック部材（３３）が、前記装置本体(１６)の前記本体接続部（２４）と反対側に位置する前記スライド板(３１)の端部に設けられたストッパ部(４５)と、前記スライド板を前記装置本体の前記本体接続部から離れる方向に付勢する第１ばね部材（第１コイルばね３８）と、前記ストッパ部の移動方向と直交する方向に移動可能に設けられて前記ストッパ部の先端面（４５a）が接離可能に対面するロック釦（４６）と、このロック釦を前記ストッパ部の前記先端面が対面して当接する位置に向けて付勢する第２ばね部材（第２コイルばね４７）とを備えていることを特徴とする請求項６に記載の中継装置である。
【発明の効果】
【００１４】
請求項１に記載の発明によれば、電子機器を装置本体に保持させるときに、装置本体にスライド可能に設けられたホルダ部材のホルダ側保持部に電子機器の外部接続部と反対側の他側面を対面させると、電子機器の他側面がホルダ部材のホルダ側保持部に密着して嵌合し、この状態でホルダ部材をスライドさせて電子機器の外部接続部側に位置する一側面を装置本体に設けられた本体側保持部に対面させると、電子機器の一側面が装置本体の本体側保持部に密着して嵌合し、これにより電子機器を装置本体に固定して電子機器の外部接続部と装置本体の本体接続部とを接触させて電気的に接続することができる。
【００１５】
また、電子機器を装置本体に保持させるときに、誤って電子機器を装置本体に対し逆向きに配置すると、電子機器の外部接続部側の一側面がホルダ部材のホルダ側保持部に対面するので、電子機器の一側面がホルダ側保持部に密着して嵌合せず、この状態でホルダ部材をスライドさせると、電子機器の他側面が装置本体の本体側保持部に対面するので、電子機器の他側面が本体側保持部に密着して嵌合しない。このため、電子機器が逆向きであることを判断することができると共に、電子機器の他側面が装置本体の本体側保持部に当接しても、密着して嵌合しないので、電子機器を逆向きに配置したときに本体接続部の破損を防ぐことができる。
【００１６】
請求項２に記載の発明によれば、電子機器の他側面に突起部が突出して設けられ、ホルダ部材のホルダ側保持部に突起部が嵌合する嵌合凹部が設けられていることにより、誤って電子機器を装置本体に対し逆向きに配置して、電子機器の一側面をホルダ側保持部に対面させても、密着して嵌合しないほか、特にこの状態でホルダ部材をスライドさせて、電子機器の他側面を装置本体の本体側保持部に対面させたときに、電子機器の他側面の突起部が装置本体の本体側保持部に当接するので、電子機器の他側面と装置本体の本体側保持部との間に隙間ができ、電子機器の他側面が本体接続部に当接することがないため、電子機器を逆向きに配置したときに本体接続部の破損を確実に防ぐことができる
【００１７】
請求項３に記載の発明によれば、電子機器の一側面の下部に逆入れ防止部が設けられ、ホルダ部材に電子機器の一側面の下部を位置決めする位置決め部が設けられ、この位置決め部に逆入れ防止部が嵌合する嵌合部が設けられていることにより、電子機器を装置本体に保持させるときに、ホルダ部材のホルダ側保持部に電子機器の他側面を対面させると共に、電子機器の一側面の下部を位置決め部に対面させると、電子機器の他側面がホルダ側保持部に密着して嵌合すると共に、電子機器の一側面の下部に設けられた逆入れ防止部が位置決め部に設けられた嵌合部に嵌合するので、電子機器をホルダ部材で位置決めした状態で良好に保持することができる。
【００１８】
また、電子機器を装置本体に保持させるときに、誤って電子機器を装置本体に対し逆向きに配置すると、ホルダ部材のホルダ側保持部に電子機器の一側面が対面すると共に、電子機器の他側面がホルダ部材のホルダ側下部保持部に対面するので、電子機器の一側面の下部に設けられた逆入れ防止部がホルダ側保持部に密着して嵌合しないばかりか、電子機器の他側面が位置決め部に設けられた嵌合部に嵌合することもないので、電子機器が浮き上がった状態でホルダ部材に配置されることなり、これにより電子機器が逆向きであることを判断することができる。
【００１９】
請求項４に記載の発明によれば、電子機器の外部接続部が、金属ピンをばね部材のばね力によって電子機器の一側面から露出させる方向に付勢する構成で、本体接続部が、大径筒内に小径筒を出没可能に設けた接続ピンを備え、この接続ピンの小径筒の先端を外部接続の金属ピンの先端に弾接させて相互に没入する構成であることにより、電子機器を装置本体に保持させるときに、ホルダ部材のホルダ側保持部に電子機器の他側面を対面させて嵌合させ、この状態でホルダ部材をスライドさせて電子機器の一側面を装置本体の本体側保持部に対面させて嵌合させると、本体接続部の接続ピンにおける小径筒の先端が外部接続部の金属ピンの先端に弾接して、小径筒の先端が金属ピンと共に電子機器側に没入するので、装置本体の本体接続部と電子機器の外部接続部とを確実に電気的に接続することができる。
【００２０】
請求項５に記載の発明によれば、ホルダ部材の位置決め部に、本体接続部の接続ピンの曲がりを防ぐための曲がり防止部が設けられていることにより、ホルダ部材で保持された電子機器が外部から衝撃を受けたときに、ホルダ部材のホルダ側保持部および位置決め部によって電子機器を受け止めると共に、ホルダ部材の位置決め部に設けられた曲がり防止部によって本体接続部の接続ピンを受け止めることができる。このため、請求項４に記載の発明のように、本体接続部の接続ピンにおける小径筒の先端が外部接続部の金属ピンの先端に弾接して、小径筒の先端が金属ピンと共に電子機器側に没入していても、本体接続部の接続ピンが衝撃によって曲がるのを確実に防ぐことができる。
【００２１】
請求項６に記載の発明によれば、ホルダ部材が、少なくともホルダ側保持部を有して装置本体の本体接続部に対し接離方向にスライドするスライド板と、このスライド板を本体接続部に向けてスライドさせて電子機器をホルダ側保持部と装置本体の本体側保持部との間に挟んだときにスライド板をロックするロック部材とを備えていることにより、電子機器の外部接続部を装置本体側の本体接続部に弾接させて電気的に接続した状態で、電子機器を装置本体に確実に保持することができる。
【００２２】
請求項７に記載の発明によれば、ホルダ部材のホルダ側保持部に電子機器の他側面を嵌合させた状態で、スライド板をスライドさせて電子機器の一側面を装置本体の本体側保持部に嵌合させると、ストッパ部の先端面がロック釦から離れ、この状態で第１ばね部材のばね力によってスライド板が装置本体の本体接続部から離れる方向に付勢されるので、ストッパ部の先端面がロック釦に当接し、これによりスライド板を確実にロックすることができる。この場合、電子機器を装置本体に対し逆向きに配置したときには、ホルダ部材のホルダ側保持部に電子機器の一側面が嵌合せず、スライド板をスライドさせて電子機器の他側面が装置本体の本体側保持部に対面しても、嵌合しないため、スライド板のスライド長さを十分に確保することができず、ストッパ部の先端面をロック釦から離脱せることができないので、ロック釦によってスライド板をロックすることができなくなり、これにより電子機器の逆入れを確実に防ぐことができる。
【発明を実施するための最良の形態】
【００２３】
以下、図１〜図３４を参照して、この発明を適用した中継装置の一実施形態について説明する。
図１〜図６はこの発明の中継装置に保持される電子腕時計を示した図であり、図７〜図１６はこの発明の中継装置を示した図であり、図１７〜図３４はこの発明の中継装置に電子腕時計を保持して使用する状態を示した図である。
この実施形態の中継装置は、電子腕時計が着脱可能に保持されて電気的に接続されるグレードルであり、このグレードルを介して家庭のコンセントなどの外部電源と電子腕時計とを電気的に接続して電子腕時計を充電する構成であるが、グレードル自体が内蔵した電源によって電子腕時計を充電する構成でもある。
【００２４】
このグレードルである中継装置に保持される電子腕時計１は、ＧＰＳ機能を搭載したバンド一体型の腕時計であり、図１〜図６に示すように、腕時計ケース２を備えている。この腕時計ケース２の上面には、図１に示すように、時計ガラス３が装着されており、この腕時計ケース２の下面には、図２〜図６に示すように、裏蓋４が防水リング４ａを介してビス４ｂによって取り付けられている。また、この腕時計ケース２内には、時計モジュール（図示せず）が収納されている。この時計モジュールは、表示部および充電池などの時計機能に必要な各種の電子部品を備えているほか、ＧＰＳ用のアンテナを備え、このアンテナで人口衛星からの電波を受信することにより、現在位置を知ることができると共に、受信した標準時刻電波に基づいて自動的に現在時刻を修正するように構成されている。
【００２５】
また、この腕時計ケース２の１２時側と６時側とには、図１〜図５に示すように、それぞれバンド取付部５が一体に形成されている。このバンド取付部５は、図２および図３に示すように、腕時計ケース２の上面から下面に向けて円弧状に湾曲して形成され、この湾曲に沿って図１７、図１９、図２７〜図３０に示すようにウレタン樹脂などの合成樹脂製の時計バンド６が一体的に取り付けられるように構成されている。すなわち、この時計バンド６は、図１７および図１９に示すように、腕時計ケース２のバンド取付部５に一体的に取り付けられていることにより、その基端部がバンド取付部５に湾曲して固定され、先端側が腕時計ケース２の裏蓋４に対しほぼ垂直方向（図１７では下方）に延出され、この延出された部分が湾曲して腕に密着するように構成されている。
【００２６】
この腕時計ケース２の３時側の側面には、図１、図２、図４および図６に示すように、２つの押釦スイッチ７とその間に位置する外部接続部８とが設けられている。この場合、外部接続部８は、図２および図６に示すように、一対の金属ピン８ａからなり、これら金属ピン８ａがそれぞればね部材８ｂによって腕時計ケース２の側壁部内に出没可能に設けられ、通常はばね部材８ｂのばね力によって腕時計ケース２の外側に向けて弾力的に付勢されて各金属ピン８ａの先端面が腕時計ケース２の側面から突出すことなく露出し、この露出した各金属ピン８ａの先端面が外部から押されると、ばね部材８ｂのばね力に抗して腕時計ケース２の内部に向けて没入することにより、時計モジュールの充電池（図示せず）と電気的に接続されるように構成されている。
【００２７】
また、この腕時計ケース２の９時側の側面には、図１、図３〜図５に示すように、２つの押釦スイッチ９とその間に位置する光通信部１０とが設けられている。この場合、光通信部１０は、赤外線を発光する発光素子と、外部からの赤外線を受光する受光素子とを備え、パーソナルコンピュータなどの外部機器（図示せず）との間で光通信によってデータの授受を行うものであり、腕時計ケース２の側面に設けられて光透過性を有するカバー部材１０ａによって覆われている。このカバー部材１０ａは、図１において正面側から見たときにほぼ台形状をなし、図３において側面から見たときに先端面がほぼ正方形状をなし、図１および図５に示すように、腕時計ケース２の側面から押釦スイッチ９よりも外側に突出した状態で、腕時計ケース２の側面に取り付けられている。
【００２８】
これにより、この腕時計ケース２は、図１〜図５に示すように、３時側と９時側とで側面の形状が異なっている。すなわち、腕時計ケース２の３時側の側面には、図１および図５に示すように、外部接続部８が押釦スイッチ７よりも外側に突出しないように設けられており、９時側の側面には、光通信部１０が押釦スイッチ９よりも外側に突出して設けられている。この場合、腕時計ケース２の３時側の側面における下部には、図２および図５に示すように、後述する中継装置１５に腕時計ケース２を装着するときに、その腕時計ケース２の逆入れを防止するための逆入れ防止突起１１が外部接続部８の下側に位置して設けられている。この逆入れ防止突起１１は、図４〜図６に示すように、腕時計ケース２の３時側の側面に設けられた押釦スイッチ７よりも外側に突出しないように形成されている。
【００２９】
一方、グレードルである中継装置１５は、図７に示すように、全体がほぼ長方形の箱状に形成された装置本体１６を備えている。すなわち、この装置本体１６は、上部ケース１７と下部ケース１８とからなり、上部ケース１７の中間部１７ａが凹部状に切り欠かれた構成になっている。この装置本体１６における凹部状の中間部１７ａは、図７に示すように、その長手方向（図７では左右方向）と直交する幅方向（同図では前後方向）が電子腕時計１の腕時計ケース２における１２時側と６時側とを結ぶ長さ、つまり腕時計ケース２の１２時側と６時側との各バンド取付部５間の長さとほぼ同じ大きさに形成されている。また、この装置本体１６における凹部状の中間部１７ａは、その長手方向の長さが腕時計ケース２の３時側と９時側との間の長さよりも十分に長く形成されている。
【００３０】
この装置本体１６における一端部側である基端部１６ａ側（図７では左端部側）は、図７〜図１０に示すように、装置本体１６における凹部状の中間部１７aの幅よりも少し広い幅で形成されていると共に、その厚みが装置本体１６における凹部状の中間部１７ａの厚みよりも腕時計ケース２の厚みに相当する分、厚く形成されている。さらに、装置本体１６における他端部である先端部１６ｂ（図７では右端部）は、装置本体１６における凹部状の中間部１７ａの幅よりも少し狭い幅で形成されていると共に、その厚みが装置本体１６における凹部状の中間部１７ａの厚みよりも少し厚く形成されている。
【００３１】
この装置本体１６における凹部状の中間部１７ａには、図７、図９、図１０に示すように、電子腕時計１の腕時計ケース２を着脱可能に保持するホルダ部材２０が設けられており、この装置本体１６における基端部１６ａ側の内部には、図９および図１０に示すように、電源部２１が設けられている。また、この装置本体１６の背面には、図８、図２７〜図３０に示すように、装置本体１６をその長手方向に傾けて卓上などの水平面Ｔ上に立て掛けるためのスタンド部材２２が取り付けられている。
【００３２】
電源部２１は、図９および図１０に示すように、腕時計ケース２の充電池（図示せず）を充電するための電池２３と、腕時計ケース２の外部接続部８と電気的に接続される本体接続部２４と、充電状態のときに点灯し充電が完了したときに点滅する発光ダイオード２５と、家庭のコンセントなどの外部電源に接続された接続ケーブル（いずれも図示せず）が接続する電源接続部２６とを有している。電池２３は、電圧が約９ボルトの乾電池であり、図９および図１０に示すように、装置本体１６の基端部１６ａ内に設けられた電池収納部２７内に収納され、下部ケース１８に設けられた電池蓋２７ａで開閉自在に覆われている。この場合、乾電池２３は、装置本体１６全体の重量の大部分を占める程度の重量を有している。
【００３３】
本体接続部２４は、図７、図９、図１０および図１２に示すように、腕時計ケース２の外部接続部８の各金属ピン８ａにそれぞれ対応する２本の接続ピン２８を備え、装置本体１６の基端部１６ａ内から装置本体１６の凹部状の中間部１７ａに向けて突出して設けられている。この場合、２本の接続ピン２８は、図２６に示すように、それぞれ大径筒２８ａと小径筒２８ｂとを備え、大径筒２８ａ内に小径筒２８ｂが出没可能に挿入すると共に、大径筒２８ａ内のばね部材（図示せず）のばね力によって小径筒２８ｂが大径筒２８ａ内から押し出される方向に付勢されるように構成されている。
【００３４】
また、本体接続部２４の各接続ピン２８は、図２６に示すように、後述するホルダ部材２０で保持された腕時計ケース２の外部接続部８の各金属ピン８ａに弾接したときに、本体接続部２４の各接続ピン２８の小径筒２８ｂが大径筒２８ａ内に押し込まれると共に、外部接続部８の各金属ピン８ａがばね部材８ｂのばね力に抗して腕時計ケース２の内側に向けて没入することにより、各接続ピン２８の小径筒２８ｂの先端部が外部接続部８の各金属ピン８ａと共に腕時計ケース２の側壁内に挿入し、この状態で装置本体１６の電源部９と電子腕時計１内の時計モジュールの充電池（図示せず）とが電気的に接続されるように構成されている。
【００３５】
発光ダイオード２５は、図７および図１２に示すように、装置本体１６の基端部１６ａにおける幅方向の両側部の一方側（図１２では左側）に設けられている。すなわち、装置本体１６の基端部１６ａにおける幅方向の両側部には、装置本体１６の凹部状の中間部１７ａに向けて傾斜する傾斜部２９が形成されており、その一方側（図１２では左側）の傾斜部２９の先端側の上面に発光ダイオード２５が設けられている。また、電源接続部２６は、装置本体１６の基端部１６ａにおける側面に設けられた電源ジャックであり、ゴムキャップ２６ａによって開閉可能に覆われている。
【００３６】
スタンド部材２２は、図８（ａ）および図８（ｂ）に示すように、金属棒をほぼ長方形状に折り曲げたものであり、その金属棒の端部２２ａが装置本体１６の背面における基端部１６ａの付け根部付近に回動可能に取り付けられている。この場合、装置本体１６の背面つまり下部ケース１８の下面には、図８（ａ）に示すように、スタンド部材２２を挿脱可能に収納する収納溝３０が装置本体１６の基端部１６ａの付け根部付近から装置本体１６の先端部１６ｂ側に亘って設けられている。これにより、スタンド部材２２は、図８（ｂ）に示すように、金属棒の各端部２２ａを中心に回動させて収納溝３０内から引出すと、金属棒の各端部２２ａの屈曲部が収納溝３０の係止部３０ａに係止されて所定角度に開き、図２７〜図３０に示すように、装置本体１６をその長手方向に傾けて卓上に立て掛けるように構成されている。
【００３７】
ところで、電子腕時計１の腕時計ケース１２を保持するホルダ部材２０は、図７、図９〜図１６に示すように、装置本体１６の電源部２１の本体接続部２４に対し接近離間する方向（図７における矢印Ｘ、Ｙ方向）にスライドするスライド板３１と、このスライド板３１に設けられて腕時計ケース２を載置する載置部３２と、この載置部３２に腕時計ケース２を載置した状態でスライド板３１を本体接続部２４に向けてスライドさせて腕時計ケース２を載置部３２によって装置本体１６の基端部１６ａ側の内面に押し付けたときに腕時計ケース２の外部接続部８と本体接続部２４とを電気的に接続した状態でスライド板３１をロックするロック部材３３とを備えている。
【００３８】
すなわち、スライド板３１は、図７、図９〜図１６に示すように、装置本体１６における凹部状の中間部１７ａ上にその基端部１６ａ側の本体接続部２４に対し接近離間する方向（図７における矢印Ｘ、Ｙ方向）にスライド可能に配置されている。この場合、装置本体１６の凹部状の中間部１７ａにおける上面には、図１１に示すように、ガイド凹部３５が設けられており、このガイド凹部３５内には、スライド板３１がスライド可能に配置されている。このスライド板３１の下面には、図１１に示すように、一対の取付ボス３６が設けられており、この一対の取付ボス３６は、装置本体１６のガイド凹部３５にスライド板３１のスライド方向に沿って設けられた一対のガイド溝３７内に移動可能に挿入されている。
【００３９】
このガイド溝３７内に挿入された取付ボス３６の下部には、図９および図１０に示すように、第１コイルばね３８がそれぞれ取り付けられている。すなわち、この第１コイルばね３８は、一端部３８ａ（図９では左端部）が取付ボス３６の下部に取り付けられ、他端部３８ｂ（図９では右端部）が装置本体１６の先端部１６ｂ側つまり基端部１６ａの電源部２１側と反対側に位置するガイド溝３７の端部に取り付けられ、この状態で取付ボス３６を装置本体１６の基端部１６ａ側つまり電源部２１の本体接続部２４から離れる方向（図９、図１０における矢印Ｘ方向）に付勢している。これにより、スライド板３１は、第１コイルばね３８のばね力によって装置本体１６の基端部１６ａ側の本体接続部２４から離れる方向に付勢されている。
【００４０】
このスライド板３１上に設けられた載置部３２は、図７、図９、図１０に示すように、腕時計ケース２の下面つまり裏蓋４が当接する下面当接部４０と、腕時計ケース２の９時側の側面を保持する第１側面保持部４１と、腕時計ケース２の３時側の側面下部を位置決めする第２側面保持部４２とを備えている。下面当接部４０は、図７、図９〜図１１に示すように、腕時計ケース２の裏蓋４の下面における平坦面が当接するほぼ円形の枠状に形成されている。
【００４１】
第１側面保持部４１は、図７、図９〜図１６に示すように、装置本体１６の基端部１６ａの電源部２１側と反対側、つまり装置本体１６の先端部１６ｂ側に位置するスライド板３１上の端部（図７では右端部）に設けられ、腕時計ケース２の９時側の側面を保持するように構成されている。すなわち、この第１側面保持部４１の内面は、図１１および図１３に示すように、腕時計ケース２の９時側の側面の形状に対応する凹部状に形成されており、この凹部状の内面には、腕時計ケース２の９時側の光通信部１０が嵌合する通信嵌合凹部４１ａと、２つの押釦スイッチ９がそれぞれ嵌合するスイッチ嵌合凹部４１ｂとが設けられている。
【００４２】
第２側面保持部４２は、図７、図９〜図１６に示すように、装置本体１６の基端部１６ａの電源部２１側に位置するスライド板３１上の端部（図７では左端部）に設けられ、腕時計ケース２の３時側の側面における外部接続部８の下部側を保持するように構成されている。すなわち、この第２側面保持部４２は、図７、図１２〜図１４に示すように、腕時計ケース２の３時側の側面における外部接続部８の下部側に対応する形状で、その高さが下面当接部４０よりも少し高い台座状に形成されている。
【００４３】
この場合、第２側面保持部４２の中間部の内側面には、図１２〜図１５に示すように、腕時計ケース２の３時側の側面に設けられた逆入れ防止突起１１が挿入する逆入れ防止凹部４２ａが設けられている。また、この第２側面保持部４２の中間部の上面には、スライド板３１が装置本体１６の基端部１６ａの電源部２１側に向けてスライドして本体接続部２４に接近したときに、図２６に示すように、本体接続部２４の各接続ピン２８の下側に僅かな隙間を有して配置されて各接続ピン２８が下側に向けて曲がるのを阻止するための曲がり防止凹部４２ｂが設けられている。
【００４４】
これにより、載置部３２は、図１７および図１８に示すように、腕時計ケース２の９時側の側面が第１側面保持部４１に対応したときに、腕時計ケース２の９時側の光通信部１０が第１側面保持部４１の通信嵌合凹部４１ａに嵌合すると共に、９時側の押釦スイッチ９が第１側面保持部４１のスイッチ嵌合凹部４１ｂにそれぞれ嵌合し、この状態で腕時計ケース２の裏蓋４が下面当接部４０に当接して、腕時計ケース２の３時側の側面に設けられた逆入れ防止突起１１が第２側面保持部４２の逆入れ防止凹部４２ａに挿入すると共に、腕時計ケース２の３時側の側面下部が第２側面保持部４２に当接することにより、腕時計ケース２を位置決めして保持するように構成されている。
【００４５】
この場合、装置本体１６の凹部状の中間部１７ａに対面する装置本体１６の基端部１６ａの内面には、図７、図９、図１０、図１２に示すように、載置部３２に腕時計ケース２が位置決めされて保持された状態でスライド板３１が装置本体１６の基端部１６ａの電源部２１側にスライドしたときに、腕時計ケース２の３時側の側面上部を保持する側面上部保持部４３が設けられている。この側面上部保持部４３は、腕時計ケース２の３時側の側面上部が挿入する凹部状に形成されており、その内面には、図１２に示すように、腕時計ケース２の３時側の押釦スイッチ７がそれぞれ嵌合するスイッチ嵌合凹部４３ａが設けられている。
【００４６】
これにより、側面上部保持部４３は、図２０および図２２に示すように、腕時計ケース２の３時側の側面が対応して、腕時計ケース２の３時側の押釦スイッチ７がスイッチ嵌合凹部４３ａにそれぞれ嵌合したときに、腕時計ケース２を載置部３２との間に挟み付け、この状態で図２６に示すように、装置本体１６の基端部１６ａの内面から突出して設けられた本体接続部２４の各接続ピン２８を、腕時計ケース２の外部接続部８の各金属ピン８ａに当接させると共に、本体接続部２４の各接続ピン２８の下側に、曲がり防止凹部４２ｂが僅かな隙間を有して配置されるように構成されている。
【００４７】
この場合、載置部３２の下面当接部４０、第１側面保持部４１、第２側面保持部４２、および装置本体１６の基端部１６ａの側面上部保持部４３のうち、図２０および図２２に示すように、少なくとも腕時計ケース２の上部側における外周面が当接する載置部３２の第１側面保持部４１と装置本体１６の側面上部保持部４３とは、それぞれ腕時計ケース２に接触する表面部分がウレタン樹脂などの弾力性を有する合成樹脂で形成され、その各内部が硬質の合成樹脂で形成されている。また、載置部３２の下面当接部４０と第２側面保持部４２とは、硬質の合成樹脂で形成されている。
【００４８】
また、スライド板３１をロックするロック部材３３は、図９、図１０、図１４、図２５に示すように、第１側面保持部４１側に位置するスライド板３１の端部に設けられた一対のストッパ部４５と、スライド板３１を装置本体１６の基端部１６ａの電源部２１側から離れる方向（図９、図１０における矢印Ｘ方向）に付勢する第１コイルばね３８と、一対のストッパ部４５の移動方向と直交する上下方向に移動可能に設けられて一対のストッパ部４５の先端面４５aが接離可能に対面するロック釦４６（図１４、図２５参照）と、このロック釦４６をストッパ部４５の先端面４５ａが対面して当接する位置（図９、図１０における上方）に向けて付勢する第２コイルばね４７とを備えている。
【００４９】
すなわち、一対のストッパ部４５は、図９、図１０、図１３〜図１６に示すように、第１側面保持部４１側に位置するスライド板３１の端部に設けられて、スライド板３１の端部から装置本体１６の先端部１６ｂ側（図９では右側）に向けて突出している。ロック釦４６は、図９、図１０、図１４、図２５に示すように、一対のストッパ部４５の各先端面４５ａが接離可能に当接する当接釦部４６ａと、この当接釦部４６ａ上の中央部に設けられて一対のストッパ部４５間に対応して配置される解除釦部４６ｂとからなっている。
【００５０】
この場合、当接釦部４６ａは、図９に示すように、第２コイルばね４７のばね力によってロック釦４６が押し上げられたときに、図２０、図２２、図２５に示すように、一対のストッパ部４５の各先端面４５ａが第１コイルばね３８のばね力によって当接してスライド板３１をロックし、図１０に示すように、当接釦部４６ａが第２コイルばね４７のばね力に抗して押し下げられたときに、当接釦部４６ａが一対のストッパ部４５の下側に移動し、図１４に示すように、一対のストッパ部４５が当接釦部４６ａの両側上面にスライド可能に配置されるように構成されている。
【００５１】
解除釦部４６ｂは、図９および図１０に示すように、図９および図２５に示すように、一対のストッパ部４５の先端面４５ａが当接釦部４６ａの正面に当接した状態で、第２コイルばね４７のばね力によってロック釦４６が押し上げられると、装置本体１６の上部ケース１７に設けられた釦挿入孔１７ｂから上方に突出する。また、この解除釦部４６ｂは、第２コイルばね４７のばね力に抗して押し下げられると、図１０に示すように、当接釦部４６ａを一対のストッパ部４５の下側に移動させて、一対のストッパ部４５によるスライド板３１のロックを解除するように構成されている。なお、第２コイルばね４７は、図９および図１０に示すように、装置本体１６の下部ケース１８の上面とロック釦１６の当接部４６ａの下面との間に設けられ、ロック釦４６を押し上げるように付勢している。
【００５２】
これにより、ロック部材３３は、図９に示すように、スライド板３１が第１コイルばね３８のばね力に抗して装置本体１６の基端部１６ａの電源部２１側にスライドして一対のストッパ部４５の先端面４５ａがロック釦４６から離れると、ロック釦４６が第２コイルばね４７によって押し上げられるので、図２５に示すように、ロック釦４６の当接釦部４６ａが一対のストッパ部４５の先端面４５ａに対面し、この状態でスライド板３１が第１コイルばね３８のばね力によって装置本体１６の先端部１６ｂ側に付勢され、一対のストッパ部４５の先端面４５ａがロック釦４６の当接釦部４６ａの正面に当接してスライド板３１をロックする。
【００５３】
また、このロック部材３３は、図１０に示すように、装置本体１６の上部ケース１７の釦挿入孔１７ｂから上方に突出したロック釦４６の解除釦部４６ｂが第２コイルばね４７のばね力に抗して押し下げられると、ロック釦４６の当接釦部４６ａが一対のストッパ部４５の下側に移動して一対のストッパ部４５の先端面４５ａから離れるので、スライド板３１に対するロックを解除し、これによりスライド板３１が第１コイルばね３８のばね力によって装置本体１６の先端部１６ｂ側に向けてスライドし、図１４に示すように、一対のストッパ部４５が当接釦部４６ａの両側上面に配置される。
【００５４】
次に、この中継装置１５の作用について説明する。
この中継装置１５で電子腕時計１を充電する場合には、まず、腕時計ケース２を中継装置１５のホルダ部材２０で保持する。このときには、図７および図９に示すように、中継装置１５の装置本体１６に設けられたホルダ部材２０のロック釦４６を第２コイルばね４７のばね力に抗して押し下げると、図１０に示すように、ホルダ部材２０のスライド板３１が第１コイルばね３８のばね力によって装置本体１６の電源部２１側から離れる方向に付勢され、ホルダ部材２０の載置部３２の第１側面保持部４１が装置本体１６の電源部２１側の基端部１６ａから最も離れた位置に配置される。また、このときには、ロック部材３３の一対のストッパ部４５がロック釦４６の当接釦部４６ａの両側上面にスライド可能に配置される。
【００５５】
この状態で、図１７および図１８に示すように、腕時計ケース２の９時側の側面をホルダ部材２０の載置部３２の第１側面保持部４１に対面させると共に、腕時計ケース２の３時側の側面をホルダ部材２０の載置部３２の第２側面保持部４２に対面させる。そして、図１７および図１８に示すように、腕時計ケース２の９時側の側面を載置部３２の第１側面保持部４１の凹部に挿入させて、腕時計ケース２の９時側の光通信部１０を第１側面保持部４１の通信嵌合凹部４１ａに嵌合させると共に、９時側の２つの押釦スイッチ９を第１側面保持部４１のスイッチ嵌合凹部４１ｂにそれぞれ嵌合させる。
【００５６】
この後、図１８に示すように、腕時計ケース２の裏蓋４を下面当接部４０に当接させると共に、図２５および図２６に示すように、腕時計ケース２の３時側の側面に設けられた逆入れ防止突起１１を第２側面保持部４２の逆入れ防止凹部４２ａに挿入させて、腕時計ケース２の３時側の側面下部を第２側面保持部４２に当接させる。これにより、図１７および図１８に示すように、腕時計ケース２がホルダ部材２０の載置部３２に密着して位置決めされた状態で保持される。
【００５７】
この状態で、載置部３２の第１側面保持部４１を装置本体１６の基端部１６ａの電源部２１側に向けて押し、ホルダ部材２０のスライド板３１を第１コイルばね３８のばね力に抗してスライドさせると、図１９および図２０に示すように、腕時計ケース２がホルダ部材２０に保持された状態で装置本体１６の基端部１６ａの内面に設けられた側面上部保持部４３に接近し、腕時計ケース２の３時側の側面に設けられた外部接続部８が装置本体１６の電源部２１の本体接続部２４に対応する。
【００５８】
この後、スライド板３１が装置本体１６の基端部１６ａの電源部２１側に向けて更にスライドすると、図１９および図２０に示すように、腕時計ケース２の３時側の側面上部が装置本体１６の側面上部保持部４３に挿入して、腕時計ケース２の３時側の２つの押釦スイッチ７がスイッチ嵌合凹部４３ａにそれぞれ嵌合する。これにより、図１９〜図２２に示すように、腕時計ケース２が、ホルダ部材２０の載置部３２と装置本体１６の側面上部保持部４３との間に挟まれて装置本体１６に確実に固定される。
【００５９】
このときには、図２５および図２６に示すように、腕時計ケース２の外部接続部８の各金属ピン８ａが装置本体１６の本体接続部２４の各接続ピン２８に当接して相互に押圧されるので、本体接続部２４の各接続ピン２８の小径筒２８ｂが大径筒２８ａ内に押し込まれると共に、外部接続部８の各金属ピン８ａがばね部材８ｂのばね力に抗して腕時計ケース２の内側に向けて没入する。
【００６０】
このため、本体接続部２４の各接続ピン２８における各小径筒２８ｂの先端部は、図２６に示すように、外部接続部８の各金属ピン８ａと共に腕時計ケース２の側壁部内に挿入すると共に、載置部３２の第２側面保持部４２に設けられた曲がり防止凹部４２ｂの上方に僅かな隙間をもって配置される。これにより、装置本体１６の電源部２１と電子腕時計１内の時計モジュールの充電池（図示せず）とが電気的に接続される。
【００６１】
このように、腕時計ケース２の外部接続部８と装置本体１６の本体接続部２４とが電気的に接続されると、発光ダイオード２５が点灯して充電が開始される。このときには、図２０に示すように、ロック部材３３によってスライド板３１がロックされる。すなわち、ロック部材３３の一対のストッパ部４５がスライド板３１と共に装置本体１６の電源部２１側にスライドし、一対のストッパ部４５の各先端面４５ａがロック釦４６から離れるので、ロック釦４６が第２コイルばね４７によって押し上げられる。
【００６２】
これにより、図２０、図２２および図２５に示すように、ロック釦４６の当接釦部４６ａが一対のストッパ部４５の各先端面４５ａに対面するので、この状態でホルダ部材２０の第１側面保持部４１から指や手を離して外力を除くと、スライド板３１が第１コイルばね３８のばね力によって装置本体１６の先端部１６ｂ側に付勢され、スライド板３１が装置本体１６の電源部２１側から離れる方向にスライドし、これに伴って一対のストッパ部４５の各先端面４５ａがロック釦４６の当接釦部４６ａの正面に当接する。これにより、スライド板３１がロックされる。
【００６３】
この状態では、図１９〜図２１に示すように、腕時計ケース２の１２時側と６時側とに設けられたバンド取付部５がそれぞれ装置本体１６の長手方向と直交する幅方向に位置しているので、これに伴って各バンド取付部５にそれぞれ一体的に湾曲して取り付けられた時計バンド６が装置本体１６の長手方向と直交する幅方向から装置本体１６の背面側に向けて突出している。このため、図２７〜図３０に示すように、装置本体１６の背面に回動可能に取り付けられたスタンド部材２２を所定角度に開き、このスタンド本体２２によって装置本体１６を卓上に傾けて立て掛ける。
【００６４】
このときには、スタンド部材２２の金属棒の各端部２２ａを中心にスタンド部材２２を回動させて、図２８に示すように、装置本体１６の背面つまり下部ケース１８の下面に設けられた収納溝３０内からスタンド部材２２を取り出し、このスタンド部材２２の金属棒の各端部２２ａの屈曲部を収納溝３０の係止部３０ａに係止させることにより、スタンド部材２２を所定角度に開くことができる。このスタンド部材２２によって装置本体１６をその長手方向に傾けて卓上に立て掛けると、図２９および図３０に示すように、時計バンド６が卓上に接触しないように電子腕時計１を保持することができ、この状態で電子腕時計１の充電池（図示せず）を中継装置１５の電池２３で充電することができる。
【００６５】
また、充電が完了すると、発光ダイオード２５が点滅し、充電が完了したことを知らせることができ、電子腕時計１を中継装置１５から取り外すことができる。このときには、図１９および図２０に示すように、装置本体１６の先端部１６ｂ側の上部ケース１７から上方に突出したロック釦４６の解除釦部４６ｂを第２コイルばね４７のばね力に抗して押し下げると、ロック釦４６の当接釦部４６ａが一対のストッパ部４５の下側に移動して一対のストッパ部４５の各先端面４５ａから離れるので、図１７および図１８に示すように、スライド板３１に対するロックが解除される。
【００６６】
これにより、スライド板３１が第１コイルばね３８のばね力によって装置本体１６の先端部１６ｂ側にスライドし、図１４に示すように、一対のストッパ部４５が当接釦部４６ａの両側上方をスライドして元の初期位置に戻り、図１７および図１８に示すように、ホルダ部材３３が装置本体１６の電源部２１側から離れ、腕時計ケース２に対する固定が解除されるので、腕時計ケース２を装置本体１６から取り外すことができる。このときには、第２コイルばね４７のばね力によってロック釦４６が押し上げられ、当接釦部４６ａが一対のストッパ部４５の下面に当接して保持される。
【００６７】
ところで、電子腕時計１を中継装置１５のホルダ部材２０で保持するときに、図３１〜図３４に示すように、誤って腕時計ケース２の３時側と９時側とを逆向きに配置した場合には、ホルダ部材２０によって腕時計ケース２が確実に保持されない。すなわち、図３１および図３２に示すように、腕時計ケース２の３時側をホルダ部材２０の載置部３２の第１側面保持部４１に対面させると、３時側の押釦スイッチ７が第１側面保持部４１のスイッチ嵌合凹部４１ｂにそれぞれ対応しても、３時側の逆入れ防止突起１１が第１側面保持部４１の通信嵌合凹部４１ａに嵌合せず、この通信嵌合凹部４１ａの下側に位置する第１側面保持部４１の側面に当接する。
【００６８】
このため、図３２に示すように、腕時計ケース２の３時側の側面が第１側面保持部４１に密着しないので、腕時計ケース２を押し下げて裏蓋４を下面当接部４０に押し付けたときに、腕時計ケース２の９時側の側面下部が第２側面保持部４２の逆入れ防止凹部４２ａに挿入せず、腕時計ケース２の裏蓋４が下面当接部４０上に傾いた状態で浮き上がる。このため、腕時計ケース２がホルダ部材２の載置部３２に密着せず、腕時計ケース２が載置部３２に確実に保持されることがないので、腕時計ケース２が逆向きであることを使用者が判断することができる。
【００６９】
この状態で、腕時計ケース２が逆向きであることに気付かず、スライド板３１を装置本体１６の基端部１６ａ側に向けてスライドさせると、図３３および図３４に示すように、腕時計ケース２の裏蓋４が下面当接部４０上に傾いた状態で浮き上がっているため、腕時計ケース２の９時側の光通信部１０が装置本体１６の基端部１６ａの内面に設けられた側面上部保持部４３の凹部に挿入せず、側面上部保持部４３の内面における上端部に当接する。このため、図３４に示すように、腕時計ケース２の９時側の光通信部１０と側面上部保持部４３の内面との間に隙間ができ、腕時計ケース２の光通信部１０が装置本体１６の本体接続部２４の各接続ピン２８に接触することがない。
【００７０】
このときには、ロック部材３３の一対のストッパ部４５がスライド板３１と共に装置本体１６の基端部１６ａ側にスライドするが、この一対のストッパ部４５の各先端面４５ａがロック釦４６から離脱せずに、ロック釦４６の当接釦部４６ａの両側上面に位置する。このため、ロック釦４６が第２コイルばね４７によって押し上げられることがないので、この状態でホルダ部材２０の第１側面保持部４１から指や手を離して外力を除くと、スライド板３１が第１コイルばね３８のばね力によって装置本体１６の先端部１６ｂ側に付勢されて元の初期位置に戻る。このため、ロック部材３３によってスライド板３１がロックされることがないので、腕時計ケース２の逆入れを確実に防ぐことができる。
【００７１】
このように、この中継装置１５によれば、電子腕時計１を装置本体１６に保持させるときに、装置本体１６にスライド可能に設けられたホルダ部材２０の第１側面保持部４１に腕時計ケース２の９時側の側面を密着させて嵌合させ、この状態でホルダ部材２０のスライド板３１をスライドさせて腕時計ケース２の３時側の側面を装置本体１６の側面上部保持部４３に密着させて嵌合させることにより、腕時計ケース２をホルダ部材２０の第１側面保持部４１と装置本体１６の側面上部保持部４３との間に挟むことができ、これにより腕時計ケース２を装置本体１６に確実に保持することができる共に、腕時計ケース２の外部接続部８と装置本体１６の本体接続部２４とを電気的に接続することができる。
【００７２】
すなわち、このホルダ部材２０は、腕時計ケース２の９時側の光通信部１０が載置部３２の第１側面保持部４１の通信嵌合凹部４１ａに嵌合すると共に、２つの押釦スイッチ９がスイッチ嵌合凹部４１ｂに嵌合し、腕時計ケース２の裏蓋４が載置部３２の下面当接部４０に当接し、腕時計ケース２の３時側の側面に設けられた逆入れ防止突起１１が載置部３２の第２側面保持部４２の逆入れ防止凹部４２ａに挿入して、腕時計ケース２の３時側の側面下部が載置部３２の第２側面保持部４２に当接することにより、腕時計ケース２をホルダ部材２０の載置部３２に密着させて位置決めした状態で保持することができる。
【００７３】
また、電子腕時計１を装置本体１６に保持させるときに、誤って腕時計ケース２を装置本体１６に対し逆向きに配置すると、腕時計ケース２の３時側の側面がホルダ部材２０の第１側面保持部４１に対面するので、腕時計ケース２の３時側の側面が第１側面保持部４１に密着して嵌合せず、この状態でホルダ部材２０のスライド板３１をスライドさせると、腕時計ケース２の９時側の側面が装置本体１６の側面上部保持部４３に対面するので、腕時計ケース２における９時側の側面の上部が側面上部保持部４３に密着して嵌合しない。このため、腕時計ケース２が逆向きであることを判断することができると共に、腕時計ケース２を逆向きに配置したときに本体接続部２４の破損を防ぐことができる。
【００７４】
すなわち、腕時計ケース２の３時側の側面が第１側面保持部４１に密着しないので、腕時計ケース２を押し下げて裏蓋４を下面当接部４０に押し付けたときに、腕時計ケース２の裏蓋４が下面当接部４０上に傾いた状態で浮き上がる。このため、腕時計ケース２がホルダ部材２の載置部３２に密着せず、腕時計ケース２が載置部３２に確実に保持されることがないので、腕時計ケース２が逆向きであることを使用者が判断することができる。
【００７５】
この状態で、腕時計ケース２が逆向きであることに気付かず、スライド板３１を装置本体１６の基端部１６ａ側に向けてスライドさせると、図３３および図３４に示すように、腕時計ケース２の裏蓋４が下面当接部４０上に傾いた状態で浮き上がっているため、腕時計ケース２の９時側の光通信部１０が装置本体１６の基端部１６ａの内面に設けられた側面上部保持部４３の凹部に挿入せず、側面上部保持部４３の内面における上端部に当接する。このため、図３４に示すように、腕時計ケース２の９時側の光通信部１０と側面上部保持部４３の内面との間に隙間ができ、腕時計ケース２の光通信部１０が装置本体１６の本体接続部２４の各接続ピン２８に接触することがないので、本体接続部２４の破損を確実に防ぐことができる。
【００７６】
この場合、腕時計ケース２の３時側の側面に逆入れ防止突起１１が設けられ、ホルダ部材２０に腕時計ケース２の３時側の側面の下部を保持する第２側面保持部４２が設けられ、この第２側面保持部４２に逆入れ防止突起１１が嵌合する逆入れ防止凹部４２ａが設けられているので、腕時計ケース２を装置本体１６に保持させるときに、腕時計ケース２を装置本体１６に対し逆向きに配置すると、腕時計ケース２の９時側の側面下部が第２側面保持部４２の逆入れ防止凹部４２ａに挿入せず、腕時計ケース２の裏蓋４が下面当接部４０上に傾いた状態で浮き上がる。このため、腕時計ケース２の９時側の光通信部１０が装置本体１６の基端部１６ａの内面に設けられた側面上部保持部４３の凹部に挿入せず、側面上部保持部４３の内面における上端部に当接する。
【００７７】
特に、この中継装置１５では、腕時計ケース２の外部接続部８が、金属ピン８ａをばね部材８ｂのばね力によって腕時計ケース２の３時側の側面から露出させる方向に付勢する構成で、装置本体１６の本体接続部２４が、大径筒２８ａ内に小径筒２８ｂを出没可能に設けた接続ピン２８を備え、この接続ピン２８の小径筒２８ｂの先端を外部接続８の金属ピン８ａの先端に弾接させて相互に没入させる構成であることにより、腕時計ケース２をホルダ部材２０で保持してスライドさせ、腕時計ケース２の３時側の側面を装置本体１６の側面上部保持部４３に嵌合させると、本体接続部２４の接続ピン２８における小径筒２８ｂの先端が外部接続部８の金属ピン８の先端に弾接して、小径筒２８ｂの先端が金属ピン８と共に腕時計ケース２側に没入するので、装置本体１６の本体接続部２４と腕時計ケース２の外部接続部８とを確実に電気的に接続することができる。
【００７８】
この場合、ホルダ部材２０の第２側面保持部４２には、図２６に示すように、本体接続部２４の接続ピン２８の下側に僅かな隙間を有して配置されて接続ピン２８の曲がりを防ぐための曲がり防止凹部４２ｂが設けられているので、ホルダ部材２０で保持された腕時計ケース２が外部から衝撃を受けたときに、ホルダ部材２０の第１、第２側面保持部４１、４２および下面当接部４０とによって腕時計ケース２を受け止めると共に、ホルダ部材２０の第２側面保持部４２に設けられた曲がり防止凹部４２ｂによって本体接続部２４の接続ピン２８を受け止めることができる。このため、本体接続部２４の接続ピン２８における小径筒２８ｂの先端が外部接続部８の金属ピン８ａの先端に弾接して、小径筒２８ｂの先端が金属ピン８と共に腕時計ケース２側に没入していても、本体接続部２４の接続ピン２８が衝撃によって曲がるのを防ぐことができる。
【００７９】
また、この中継装置１５では、ホルダ部材２０が、装置本体１６側の本体接続部２４に対し接離方向にスライドするスライド板３１に、腕時計ケース２の９時側と３時側の両側面が嵌合する第１、第２側面保持部４１、４２を有する載置部３２を設け、この載置部３２の第１、第２側面保持部４１、４２で腕時計ケース２を保持した状態でスライド板３１をスライドさせて腕時計ケース２をホルダ部材２０の第１側面保持部４１と装置本体１６の側面上部保持部４３との間に挟んだときにロック部材３３がスライド板３１をロックする構成であるから、腕時計ケース２を装置本体１６に確実に固定することができると共に、腕時計ケース２の外部接続部８と装置本体１６側の本体接続部２４とを確実に接触させて電気的に接続することができ、これにより接続信頼性を確保することができる。
【００８０】
この場合、ロック部材３３は、腕時計ケース２を装置本体１６に対し逆向きに配置したときには、ホルダ部材２０の第１側面保持部４１に腕時計ケース２の３時側の側面が嵌合せず、この状態でスライド板３１をスライドさせて腕時計ケース２の９時側の側面が装置本体１６の側面上部保持部４３に対面しても、嵌合しないため、スライド板３１のスライド長さを十分に確保することができず、ストッパ部４５の先端面４５ａをロック釦４６から離脱せることができないので、ロック釦４６によってスライド板３１をロックすることができなくなり、これにより腕時計ケース２の逆入れを確実に防ぐことができる。
【００８１】
また、このロック部材３３は、ロック釦４６の解除釦部４６ｂを第２コイルばね４７のばね力に抗して押し下げるだけで、スライド板３１に対するロックを簡単に解除することができると共に、第１コイルばね３８のばね力によって自動的にスライド板３１が装置本体１６の基端部１６ａから離れる方向にスライドするので、ホルダ部材３３による腕時計ケース２の保持を簡単に解除することができ、これにより腕時計ケース２を装置本体１６から容易に取り外すことができるので、使い勝手の良いものを得ることができる。
【００８２】
さらに、この中継装置１５では、装置本体１６に、接続ケーブルによって外部電源（いずれも図示せず）と電気的に接続される電源接続部２６が設けられていることにより、中継装置１５を中継して外部電源と電子腕時計１とを電気的に接続することができるので、装置本体１６内の電池２３の電力が消耗して電池２３を交換する必要があるときでも、家庭のコンセントなどの外部電源から電子腕時計１に電力を供給して電子腕時計１の充電池（図示せず）を充電することができる。
【００８３】
この場合、装置本体１６にデータの入出力用のコネクタ部（図示せず）が設けられていれば、このコネクタ部によって接続ケーブルを介してパーソナルコンピュータなどの外部機器と電気的に接続することができるので、中継装置１５を中継して電子腕時計１と外部機器との間で音楽データなどの各種のデータの授受を行うことができる。
【００８４】
なお、上記実施形態では、ホルダ部材２０の載置部３２における第２側面保持部４２に、本体接続部２４の各接続ピン２８の曲がりを防止する曲がり防止凹部４２ｂを設けた場合について述べたが、これに限らず、例えば図３５〜図３７に示すように、載置部３２の第２側面保持部４２に、本体接続部２４の各接続ピン２８の設置高さに応じて曲がり防止凸部５０を設けても良い。すなわち、本体接続部２４の各接続ピン２８が上述した実施形態よりも高い位置に設置されている場合には、各接続ピン２８との間の隙間を十分に狭くして各接続ピン２８の曲がりを防ぐために、曲がり防止凸部５０を高く形成する必要がある。このように、曲がり防止凸部５０を高く形成しても、上述した実施形態と同様の作用効果がある。
【００８５】
また、上記実施形態では、装置本体１６の本体接続部２４と腕時計ケース２の外部接続部８とが電気的に接続されると、自動的に充電を開始するように構成した場合について述べたが、これに限らず、例えば装置本体１６に電源スイッチを設け、この電源スイッチをオンにして、装置本体１６の本体接続部２４と腕時計ケース２の外部接続部８とが電気的に接続されたときに充電を開始するように構成しても良い。この場合には、装置本体１６の本体接続部２４と腕時計ケース２の外部接続部８とが電気的に接続された状態で、電源スイッチをオフにすると、充電を終了させることができる。
【００８６】
なおまた、上記実施形態では、電子腕時計に適用した場合について述べたが、必ずしも電子腕時計である必要はなく、例えば腕装着型の血圧計や脈拍計、血糖値検出計などの各種の腕装着型の電子機器に広く適用することができる。
【図面の簡単な説明】
【００８７】
【図１】この発明の中継装置に保持される電子腕時計の正面図である。
【図２】図１の電子腕時計における３時側の側面図である。
【図３】図１の電子腕時計における９時側の側面図である。
【図４】図１のＡ−Ａ矢視における６時側のほぼ半分を断面で示した側面図である。
【図５】図１の電子腕時計の裏面図である。
【図６】図４の要部を示した拡大断面図である。
【図７】この発明の中継装置の斜視図である。
【図８】図７の中継装置の背面側を示し、（ａ）はスタンド部材を収納した状態を示した斜視図、（ｂ）はスタンド部材を所定角度に開いた状態を示した斜視図である。
【図９】図７の中継装置のＢ−Ｂ矢視における断面図である。
【図１０】図９においてスライド板のロックを解除した状態の断面図である。
【図１１】図７の中継装置のＣ−Ｃ矢視における断面を示した斜視図である。
【図１２】図７の中継装置のＤ−Ｄ矢視における断面を示した斜視図である。
【図１３】図７の中継装置のホルダ部材におけるスライド板および載置部を示した斜視図である。
【図１４】図１３のホルダ部材におけるスライド板および載置部を左後方から見た斜視図である。
【図１５】図１４のホルダ部材のＥ−Ｅ矢視における断面を示した斜視図である。
【図１６】図１４のホルダ部材のＦ−Ｆ矢視における断面を示した斜視図である。
【図１７】図７の中継装置のホルダ部材に腕時計ケースを配置した状態を示した斜視図である。
【図１８】図１７のＧ−Ｇ矢視における断面を示した斜視図である。
【図１９】図１７の中継装置においてホルダ部材のスライド板をスライドさせて腕時計ケースを保持した状態を示した斜視図である。
【図２０】図１８のＨ−Ｈ矢視における断面を示した斜視図である。
【図２１】図１９の平面図である。
【図２２】図２１のＩ−Ｉ矢視における断面図である。
【図２３】図１９において側面上部保持部の一部を切り欠いた状態を示した要部の斜視図である。
【図２４】図２３の平面図である。
【図２５】図２４のＪ−Ｊ矢視における断面図である。
【図２６】図２５における本体接続部と腕時計ケースの外部接続部との接続状態を示した要部の拡大断面図である。
【図２７】図１９の状態の中継装置を背面側から見た斜視図である。
【図２８】図２７の状態の中継装置においてスタンド部材を所定角度に開いた状態を示した斜視図である。
【図２９】図２８の状態の中継装置を卓上に立て掛けた状態を示した斜視図である。
【図３０】図２９のＫ−Ｋ矢視における断面を示した斜視図である。
【図３１】図７の状態で腕時計ケースをホルダ部材に逆向きに配置した状態を示した平面図である。
【図３２】図３１のＬ−Ｌ矢視における断面図である。
【図３３】図３１の状態でスライド板をスライドさせて腕時計ケースを側面上部保持部に当接させた状態の平面図である。
【図３４】図３３のＭ−Ｍ矢視における断面図である。
【図３５】この発明の中継装置における本体接続部の接続ピンの曲がりを防止する曲がり防止部の変形例を示した斜視図である。
【図３６】図３５のホルダ部材に腕時計ケースを配置した状態の斜視図である。
【図３７】図３５のホルダ部材に腕時計ケースを逆向きに配置した状態を断面で示した斜視図である。
【符号の説明】
【００８８】
１  電子腕時計
２  腕時計ケース
７、９  押釦スイッチ
８  外部接続部
８ａ  金属ピン
８ｂ  ばね部材
１０  光通信部
１１  逆入れ防止突起
１５  中継装置
１６  装置本体
２０  ホルダ部材
２４  本体接続部
２６  電源接続部
２８  接続ピン
２８ａ  大径筒
２８ｂ  小径筒
３１  スライド板
３２  載置部
３３  ロック部材
３８  第１コイルばね
４０  下面当接部
４１、第１側面保持部
４２  第２側面保持部
４２ａ  逆入れ防止凹部
４２ｂ  曲がり防止凹部
４３  側面上部保持部
４５  ストッパ部
４６  ロック釦
４７  第２コイルばね
５０  曲がり防止凸部
【図１】
2008009666.tif 000003
【図２】
2008009666.tif 000004
【図３】
2008009666.tif 000005
【図４】
2008009666.tif 000006
【図５】
2008009666.tif 000007
【図６】
2008009666.tif 000008
【図７】
2008009666.tif 000009
【図８】
2008009666.tif 000010
【図９】
2008009666.tif 000011
【図１０】
2008009666.tif 000012
【図１１】
2008009666.tif 000013
【図１２】
2008009666.tif 000014
【図１３】
2008009666.tif 000015
【図１４】
2008009666.tif 000016
【図１５】
2008009666.tif 000017
【図１６】
2008009666.tif 000018
【図１７】
2008009666.tif 000019
【図１８】
2008009666.tif 000020
【図１９】
2008009666.tif 000021
【図２０】
2008009666.tif 000022
【図２１】
2008009666.tif 000023
【図２２】
2008009666.tif 000024
【図２３】
2008009666.tif 000025
【図２４】
2008009666.tif 000026
【図２５】
2008009666.tif 000027
【図２６】
2008009666.tif 000028
【図２７】
2008009666.tif 000029
【図２８】
2008009666.tif 000030
【図２９】
2008009666.tif 000031
【図３０】
2008009666.tif 000032
【図３１】
2008009666.tif 000033
【図３２】
2008009666.tif 000034
【図３３】
2008009666.tif 000035
【図３４】
2008009666.tif 000036
【図３５】
2008009666.tif 000037
【図３６】
2008009666.tif 000038
【図３７】
2008009666.tif 000039